(57)【特許請求の範囲】
【請求項１】
拡大側から順に、負の屈折力を有する第１レンズ群と、
正の屈折力を有する第２レンズ群と、
正の屈折力を有する第３レンズ群とを配設してなり、
前記第１レンズ群の最も縮小側に配置されたレンズ部が、縮小側に凸面を向けた正の単レンズで構成され、
該第１レンズ群の最も縮小側に配置されたレンズ部を光軸上で移動させてフォーカス調整を行い、
前記第１レンズ群と前記第２レンズ群の間隔をＤＧ１２とし、全系の焦点距離をｆとしたとき、下記条件式(1)を満足することを特徴とする投影レンズ。
０．８＜ＤＧ１２／ｆ＜３．０  …(1)
【請求項２】
請求項１記載の投影レンズにおいて、前記第１レンズ群の焦点距離をｆ１とし、前記第２レンズ群と前記第３レンズ群の合成焦点距離をｆ２３としたとき、下記条件式(2)、(3)を満足することを特徴とする投影レンズ。
−６．０＜ｆ１／ｆ＜−１．５    …(2)
１．５＜ｆ２３／ｆ＜４．０    …(3)
【請求項３】
請求項２記載の投影レンズにおいて、前記第１レンズ群と前記第２レンズ群による縮小側像点位置をＩＭ１２とし、前記第３レンズ群の焦点距離をｆ３としたとき、下記条件式(4)、(5)を満足することを特徴とする投影レンズ。
｜ｆ／ＩＭ１２｜＜０．１２５  …(4)
１．０＜ｆ３／ｆ＜３．５      …(5)
【請求項４】
前記第３レンズ群は、拡大側から順に、縮小側に凸面を向けた正レンズと、正レンズと負レンズの接合レンズとを配設してなることを特徴とする請求項３記載の投影レンズ。
【請求項５】
請求項１から４のうちいずれか１項記載の投影レンズを搭載したことを特徴とする投影プロジェクタ装置。
【発明の詳細な説明】
【０００１】
【発明の属する技術分野】
本発明は、投影レンズに関し、特に、互いに異なる色情報を有する複数の画像を合成プリズムで合成した後、スクリーン面上に拡大投影するようにしたカラー液晶型プロジェクタに使用する投影レンズおよび投影プロジェクタ装置に関するものである。
【０００２】
【従来の技術】
従来、複数の液晶画面（液晶ライトバルブ）に表示されている画像を光学的に重ね合わせて、投影レンズによりスクリーン面上に投影するようにしたカラー液晶型プロジェクタが種々提案されている。
【０００３】
ここで、カラー液晶型プロジェクタの一例を図４を用いて説明する。
このカラー液晶型ビデオプロジェクタは、図４に示すように、光源１００と、一対のレンズアレイ３Ａ、３Ｂと、３原色光源を分離する第１および第２のダイクロイックミラー５、６と、コンデンサレンズ４と、第１，第２，第３および第４の全反射ミラー１２、１４、１７、１８と、３つの液晶表示パネル（赤色光用）７、（緑色光用）８、（青色光用）９と、３原色光を合成するダイクロイックプリズム１０とを備え、このダイクロイックプリズム１０の射出側に投影レンズ１１を備えている。
上記光源１００はハロゲンランプ、あるいはメタルハライドランプ等の高輝度白色光源である。
【０００４】
第１のダイクロイックミラー５は赤色光反射ミラーであり、また第２のダイクロイックミラー６は緑色光反射ミラーであって、各々ガラス基板上に所定の原色光をミラーとして反射する分光特性を有する誘電体多層膜からなるダイクロイック膜が施されて形成されている。
【０００５】
また、３つの液晶表示パネル７、８、９は各々ツイステッド・ネマティック型等（ＴＮ型、ＳＴＮ型、ＴＦＴ型）の液晶表示素子からなり、図示されない液晶ドライバからの対応する液晶信号に応じて映像を表示し、入射された各原色光を輝度変調する。
【０００６】
さらに、ダイクロイックプリズム１０は、４個の直角プリズムを接合してなり、その直交する２つの接合面には、各々赤色光反射ミラーおよび青色光反射ミラーとしての分光特性を有する誘電体多層膜からなるダイクロイック膜が施されて形成されており、赤，緑，青の３原色光を白色光の１本の光束に合成することが可能である。
【０００７】
また、青色光用の系中にはフィールドレンズ２０およびリレーレンズ２１が配されており、また、各液晶表示パネル７、８、９の前段には各々フィールドレンズ１５、１６、１９が配されている。
【０００８】
上記した構成からなるカラー液晶型ビデオプロジェクタに使用する投影レンズ１１は、合成された３原色光を所定の距離に配されたスクリーン上に投射し、このスクリーン上にフルカラー画像を拡大投影することができるように構成されている。
【０００９】
この投影レンズ１１には、以下のような性質が要求される。
まず、クロスダイクロイックプリズム１０で光を合成するため、色収差が小さく、長いバックフォーカスを有し、テレセントリックであることが必要である。また、短い投影距離で大きな投影像を得るために、投影レンズ１１を広角化することが必要である。さらに、四角形の液晶表示パネル７、８、９を歪み無く投影するために、低ディストーション化することが必要である。
【００１０】
【発明が解決しようとする課題】
このように液晶表示パネルを用いた投影レンズに関して、液晶表示パネルや照明系との関係でテレセントリック性を有する光学系や、色合成光学系などを挿入するために必要な長いバックフォーカスが求められてきた（例えば特開平10-260346号公報参照）。また近年、カラー液晶型プロジェクタの高解像度化や高輝度化が進み、高性能で明るい投影レンズの開発が求められている。
しかし、投影レンズを高解像度化し明るくしていくと、レンズの大型化も免れ難くなり、フォーカス調整を行う場合のレンズ群の移動機構も大型化してしまう。
【００１１】
レンズ群の一部のレンズだけを移動可能に構成して、簡易なフォーカス調整を実現したインナーフォーカス方式が一眼レフレックスカメラやビデオカメラの結像レンズの分野において知られているが、このインナーフォーカス方式を投影レンズにそのまま適用した場合、射出角度がきつく、テレセントリックとはなっていない。
【００１２】
したがって、このようなインナーフォーカス方式のレンズをカラー液晶型プロジェクタに用いた場合には、クロスダイクロイックプリズム１０で色を合成する際に、スクリーン上で色むらが発生するという問題点があり、従来のインナーフォーカス方式のレンズを、そのままカラー液晶型ビデオプロジェクタの投影レンズとして用いることは困難である。
【００１３】
また、色合成光学系などを挿入するために長いバックフォーカスが求められているが、その一方でバックフォーカスが長くなり過ぎると系全体が大型化し、縮小側のレンズ径が大きくなってしまうという問題がある。
【００１４】
本発明は上記事情に鑑みなされたもので、色合成光学系を挿入可能であるが、必要以上に長くない適度なバックフォーカスとテレセントリック性を有するとともに、ディストーションと色収差の小さい良好な光学性能を有し、さらに簡単なインナーフォーカス構造を備えたコンパクトな投影レンズおよび投影プロジェクタ装置を提供することを目的とするものである。
【００１５】
【課題を解決するための手段】
本発明の投影レンズは、拡大側から順に、負の屈折力を有する第１レンズ群と、正の屈折力を有する第２レンズ群と、正の屈折力を有する第３レンズ群とを配設してなり、前記第１レンズ群の最も縮小側に配置されたレンズ部が、縮小側に凸面を向けた正の単レンズで構成され、該第１レンズ群の最も縮小側に配置されたレンズ部を光軸上で移動させてフォーカス調整を行い、前記第１レンズ群と前記第２レンズ群の間隔をＤＧ１２とし、全系の焦点距離をｆとしたとき、下記条件式（1）を満足することを特徴とするものである。
０．８＜ＤＧ１２／ｆ＜３．０  …(1)
【００１６】
上記投影レンズにおいて、前記第１レンズ群の焦点距離をｆ１とし、前記第２レンズ群と前記第３レンズ群の合成焦点距離をｆ２３としたとき、下記条件式(2)、(3)を満足することが望ましい。
−６．０＜ｆ１／ｆ＜−１．５  …(2)
１．５＜ｆ２３／ｆ＜４．０   …(3)
【００１７】
また、前記第１レンズ群と前記第２レンズ群による縮小側像点位置をＩＭ１２とし、前記第３レンズ群の焦点距離をｆ３としたとき、下記条件式(4)、(5)を満足することが望ましい。
｜ｆ／ＩＭ１２｜＜０．１２５  …(4)
１．０＜ｆ３／ｆ＜３．５      …(5)
【００１８】
そして、前記第３レンズ群は、拡大側から順に、縮小側に凸面を向けた正レンズと、正レンズと負レンズの接合レンズとを配設してなることが望ましい。
なお、上記レンズ部とは、１枚のレンズのみならず２枚以上のレンズをも意味するものである。
また、本発明のプロジェクタ装置は、上述した投影レンズを搭載してなるものである。
【００１９】
【発明の実施の形態】
以下、本発明の実施形態について図面を用いて説明する。
図１は実施例１（実施例３も略同じ）の構成を、図２は実施例２の構成を各々示したものである。
本発明の実施例に係る投影レンズは、図１、２に示すように、拡大側から順に、負の屈折力を有する第１レンズ群Ｇ１と、正の屈折力を有する第２レンズ群Ｇ２と、正の屈折力を有する第３レンズ群Ｇ３とを配設した、１４枚（実施例２では１３枚）のレンズ構成からなる。また、第５レンズＬ５は、光軸Ｘ上で移動可能となっていて、この第５レンズＬ５を光軸Ｘ上で移動させることによりフォーカス調整を行う。さらに、全系の縮小側には、フィルタブロック（色合成プリズム）１を配置してある。
【００２０】
このようなレンズ構成とすることにより、長いバックフォーカスとテレセントリック性を有し、ディストーションと色収差が改善される。
また、第１レンズ群Ｇ１の最も縮小側に配置された第５レンズＬ５を光軸Ｘ上で移動させてフォーカス調整を行うことにより、鏡筒径が小さくなり、装置構造が単純でコンパクトとなる。
【００２１】
そして、第１レンズ群Ｇ１と第２レンズ群Ｇ２の間隔をＤＧ１２とし、全系の焦点距離をｆとしたとき、下記の条件式（1）を満足するように構成されている。
０．８＜ＤＧ１２／ｆ＜３．０  …(1)
上記条件式（1）において、ＤＧ１２／ｆの値が上限を上回ると、系全体の大型化やバックフォーカスが長くなり過ぎ、縮小側のレンズ径が大きくなってしまう。
【００２２】
一方、ＤＧ１２／ｆの値が下限を下回ると、バックフォーカスが短くなって色合成光学系の挿入が難しくなったり、明るいレンズの収差補正が困難となる。そこで、上記した条件式（1）を満足することにより、色合成光学系を挿入可能であるが、必要以上に長くない適度なバックフォーカスとテレセントリック性を有するとともに、ディストーションと色収差の小さい良好な光学性能を有するものとしている。
【００２３】
また、第１レンズ群Ｇ１の焦点距離をｆ１とし、第２レンズ群Ｇ２と第３レンズ群Ｇ３の合成焦点距離をｆ２３としたとき、下記の条件式(2)(3)を満足するように構成されている。
−６．０＜ｆ１／ｆ＜−１．５  …(2)
１．５＜ｆ２３／ｆ＜４．０   …(3)
【００２４】
上記条件式(2)、(3)において、ｆ１／ｆやｆ２３／ｆの値の上限を上回ったり、下限を下回ると、第１レンズ群Ｇ１と第２レンズ群Ｇ２・第３レンズ群Ｇ３とのバランスが崩れ、適度なバックフォーカスをとったり、諸収差を補正するのが困難となる。そこで、上記した条件式(2)、(3)を満足することにより、第１レンズ群Ｇ１と第２レンズ群Ｇ２・第３レンズ群Ｇ３とのバランスをとり、適度なバックフォーカスを有するようにして、諸収差の補正を容易なものとしている。
【００２５】
上記した第１レンズ群Ｇ１の最も縮小側に配置されたフォーカスレンズＬ５は、縮小側に凸面を向けた正の単レンズで構成されている。このようにフォーカスレンズＬ５を単レンズにすることで、系のコンパクト化を図ることができ、フォーカス移動群の軽量化により電動フォーカスにする際などのモータに対する負担を小さくでき、コストダウンにも繋がる。
【００２６】
また、上記した第１レンズ群Ｇ１と第２レンズ群Ｇ２による縮小側像点位置をＩＭ１２とし、第３レンズ群Ｇ３の焦点距離をｆ３とすると、下記の条件式(4)、(5)を満足するように構成されている。
｜ｆ／ＩＭ１２｜＜０．１２５  …(4)
１．０＜ｆ３／ｆ＜３．５     …(5)
【００２７】
上記条件式(4)、(5)において、｜ｆ／ＩＭ１２｜やｆ３／ｆの値の上限を上回ったり、ｆ３／ｆの値の下限を下回ると、適度なバックフォーカスをとりつつ縮小側にテレセントリックな光学系を構成することが難しくなり、系全体が大型化し、あるいは色合成光学系などが挿入できなくなったり、テレセントリック性が崩れることで画面上に色むらができてしまう。そこで、上記した条件式(4)、(5)を満足することにより、色合成光学系などを挿入しうる適度なバックフォーカスをとりつつ縮小側にテレセントリック性を有する良好な光学系を構成し、画面上の色むらを防止するとともに、系全体のコンパクト化を図っている。
【００２８】
上記した第２レンズ群Ｇ２は、拡大側から順に、負レンズＬ６と正レンズＬ７からなる接合レンズと、凸レンズＬ８と凹レンズＬ９からなる接合レンズ（実施例２では絞りＲ１４と拡大側に凸面を向けた負レンズＬ８）と、正レンズＬ１０と負レンズＬ１１（実施例２では正レンズＬ９と負レンズＬ１０）からなる接合レンズとを配設してなる。
【００２９】
上記した第３レンズ群Ｇ３は、拡大側から順に、縮小側に凸面を向けた正レンズＬ１２（実施例２では正レンズＬ１１）と、正レンズＬ１３と負レンズＬ１４（実施例２では正レンズＬ１２と負レンズＬ１３）からなる接合レンズとを配設してなる。
【００３０】
この第３レンズ群Ｇ３に接合レンズを配設することにより、ワイドレンズ特有の倍率色収差を補正することができる。
以下、具体的な数値を用いて上記実施例１〜３を説明する。
【００３１】
＜実施例１＞
本発明の実施例１に係る投影レンズについて図１を用いて説明する。
この実施例１では、上記した第１レンズ群Ｇ１は、拡大側から順に、拡大側に凸面を向けた正のメニスカスレンズＬ１、拡大側に凸面を向けた負のメニスカスレンズＬ２、Ｌ３、拡大側に強い曲率面を向けた両凹レンズＬ４、縮小側に凸面を向けた正のメニスカスレンズＬ５を配設してなる。
【００３２】
上記した第２レンズ群Ｇ２は、拡大側から順に、拡大側に凸面を向けた負のメニスカスレンズＬ６と拡大側に強い曲率面を向けた両凸レンズＬ７との接合レンズ、縮小側に強い曲率面を向けた両凸レンズＬ８と拡大側に強い曲率面を向けた両凹レンズＬ９との接合レンズ、縮小側に凸面を向けた正のメニスカスレンズＬ１０と縮小側に凸面を向けた負のメニスカスレンズＬ１１との接合レンズを配設してなる。
【００３３】
上記した第３レンズ群Ｇ３は、拡大側から順に、縮小側に凸面を向けた正のメニスカスレンズＬ１２、縮小側に強い曲率面を向けた両凸レンズＬ１３と縮小側に凸面を向けた負のメニスカスレンズＬ１４との接合レンズを配設してなる。
【００３４】
そして、第１レンズ群Ｇ１と第２レンズ群Ｇ２の間隔をＤＧ１２とし、全系の焦点距離をｆとすると、後述する表４に示すように、ＤＧ１２／ｆが2.06となるように設定されている。したがって、前述した条件式(1)は満足されている。
【００３５】
また、第１レンズ群Ｇ１の焦点距離をｆ１とし、第２レンズ群Ｇ２と第３レンズ群Ｇ３の合成焦点距離をｆ２３とすると、後述する表４に示すように、ｆ１／ｆが−2.70、ｆ２３／ｆが2.91となるように設定されている。したがって、前述した条件式(2)、(3)は満足されている。
【００３６】
さらに、第１レンズ群Ｇ１と第２レンズ群Ｇ２による縮小側像点位置をＩＭ１２とし、第３レンズ群Ｇ３の焦点距離をｆ３とすると、後述する表４に示すように、｜ｆ／ＩＭ１２｜が3.00×１０−４、ｆ３／ｆが2.12となるように設定されている。したがって、前述した条件式(4)、(5)は満足されている。
【００３７】
以下、実施例１に係る投影レンズの各レンズ面の曲率半径Ｒ、各レンズの中心厚および各レンズの空気間隔Ｄ、各レンズのｄ線における屈析率Ｎおよびアッベ数νを表１に示す。そして、この表１の下には、倍率0.013倍時のＤ８およびＤ１０の間隔を示している。
ただし、この表１および後述する表２，３において、各記号Ｒ，Ｄ，Ｎ，νに対応させた数字は拡大側から順次増加するようになっている。
【００３８】
【表１】
0004450296.tif 000002
【００３９】
次に、上記実施例１についての球面収差、非点収差、ディストーションおよび倍率色収差を図３に示す。
これら各収差図によれば、実施例１に係る投影レンズは良好な光学性能を維持していることが明らかである。
【００４０】
＜実施例２＞
本発明の実施例２に係る投影レンズについて図２を用いて説明する。
この実施例２に係る投影レンズは、図２に示すように、上記実施例１に係る投影レンズよりも１枚少ない１３枚のレンズ構成とされており、主として、第１レンズ群Ｇ１の最も縮小側に配置された第５レンズＬ５が縮小側に強い曲率面を向けた両凸レンズとされ、第２レンズ群Ｇ２の最も拡大側に配置された第６レンズＬ６とともに接合レンズを構成する第７レンズＬ７が拡大側に凸面を向けた平凸レンズとされ、第７レンズＬ７と第８レンズＬ８との間に絞り２が設けられ、第８レンズＬ８が拡大側に凸面を向けた負のメニスカスレンズとされている点で、上記実施例１のものとは異なっている。
【００４１】
なお、第１レンズ群Ｇ１と第２レンズ群Ｇ２の間隔をＤＧ１２とし、全系の焦点距離をｆとすると、後述する表４に示すように、ＤＧ１２／ｆが1.54となるように設定されている。したがって、前述した条件式(1)は満足されている。
【００４２】
また、第１レンズ群Ｇ１の焦点距離をｆ１とし、第２レンズ群Ｇ２と第３レンズ群Ｇ３の合成焦点距離をｆ２３とすると、後述する表４に示すように、ｆ１／ｆが−3.58、ｆ２３／ｆが2.86となるように設定されている。したがって、前述した条件式(2)、(3)は満足されている。
【００４３】
さらに、第１レンズ群Ｇ１と第２レンズ群Ｇ２による縮小側像点位置をＩＭ１２とし、第３レンズ群Ｇ３の焦点距離をｆ３とすると、後述する表４に示すように、｜ｆ／ＩＭ１２｜が6.49×１０−２、ｆ３／ｆが1.90となるように設定されている。したがって、前述した条件式(4)、(5)は満足されている。
【００４４】
以下、実施例２に係る投影レンズの各レンズ面の曲率半径Ｒ、各レンズの中心厚および各レンズの空気間隔Ｄ、各レンズのｄ線における屈析率Ｎおよびアッベ数νを表２に示す。そして、この表２の下には、倍率0.013倍時のＤ８およびＤ１０の間隔を示している。
【００４５】
【表２】
0004450296.tif 000003
【００４６】
次に、上記実施例２についての球面収差、非点収差、ディストーションおよび倍率色収差を図３に示す。
これら各収差図によれば、実施例２に係る投影レンズは良好な光学性能を維持していることが明らかである。
【００４７】
＜実施例３＞
本発明の実施例３に係る投影レンズについて説明する。
この実施例３に係る投影レンズは、上記実施例１に係る投影レンズとほぼ同様の１４枚のレンズ構成とされているが、主として、第２レンズ群Ｇ２の最も拡大側に配置された第６レンズＬ６とともに接合レンズを構成する第７レンズＬ７が拡大側に凸面を向けた正のメニスカスレンズとされている点で上記実施例１のものとは異なっている。
【００４８】
なお、第１レンズ群Ｇ１と第２レンズ群Ｇ２の間隔をＤＧ１２とし、全系の焦点距離をｆとすると、後述する表４に示すように、ＤＧ１２／ｆが1.86となるように設定されている。したがって、前述した条件式(1)は満足されている。
【００４９】
また、第１レンズ群Ｇ１の焦点距離をｆ１とし、第２レンズ群Ｇ２と第３レンズ群Ｇ３の合成焦点距離をｆ２３とすると、後述する表４に示すように、ｆ１／ｆが−2.64、ｆ２３／ｆが2.85となるように設定されている。したがって、前述した条件式(2)、(3)は満足されている。
【００５０】
さらに、第１レンズ群Ｇ１と第２レンズ群Ｇ２による縮小側像点位置をＩＭ１２とし、第３レンズ群Ｇ３の焦点距離をｆ３とすると、後述する表４に示すように、｜ｆ／ＩＭ１２｜が1.19×１０−４、ｆ３／ｆが2.16となるように設定されている。したがって、前述した条件式(4)、(5)は満足されている。
【００５１】
以下、実施例３に係る投影レンズの各レンズ面の曲率半径Ｒ、各レンズの中心厚および各レンズの空気間隔Ｄ、各レンズのｄ線における屈析率Ｎおよびアッベ数νを表３に示す。そして、この表３の下には、倍率0.013倍時のＤ８およびＤ１０の間隔を示している。
【００５２】
【表３】
0004450296.tif 000004
【００５３】
次に、上記実施例３についての球面収差、非点収差、ディストーションおよび倍率色収差を図３に示す。
これら各収差図によれば、実施例３に係る投影レンズは良好な光学性能を維持していることが明らかである。
【００５４】
【表４】
0004450296.tif 000005
【００５５】
なお、本発明に係る投影レンズは、カラー液晶型プロジェクタに用いられるだけでなく、デジタルマイクロミラーデバイス（ＤＭＤ）を用いたカラープロジェクタ、あるいはＣＣＤ、撮像管などの撮像素子や、銀塩フィルムなどを用いたカメラに使用される結像レンズとしても利用可能である。
【００５６】
【発明の効果】
以上説明したように本発明の投影レンズおよび投影プロジェクタ装置は、第１レンズ群の最も縮小側に配置されたレンズを光軸Ｘ上で移動させることによりフォーカス調整を行い、第１レンズ群と第２レンズ群の間隔をＤＧ１２とし、全系の焦点距離をｆとした場合に、０．８＜ＤＧ１２／ｆ＜３．０の条件式を満足することで、色合成光学系を挿入可能であるが、必要以上に長くない適度なバックフォーカスとテレセントリック性を有するとともに、ディストーションと色収差の小さい良好な光学性能を有するものとすることができる。
【００５７】
また、第１レンズ群の焦点距離をｆ１とし、第２レンズ群と第３レンズ群の合成焦点距離をｆ２３とした場合に、−６．０＜ｆ１／ｆ＜−１．５の条件式および１．５＜ｆ２３／ｆ＜４．０の条件式を満足することで、第１レンズ群と第２・第３レンズ群とのバランスをとり、適度なバックフォーカスを有するようにして、諸収差の補正を容易にすることができる。
【００５８】
さらに、第１レンズ群の最も縮小側に配置されたフォーカスレンズを、縮小側に凸面を向けた正の単レンズで構成することにより、系のコンパクト化を図ることができ、またフォーカス移動群の軽量化により電動フォーカスにする際などのモータに対する負担を小さくでき、コストダウンに繋げることができる。
【００５９】
また、第１レンズ群と第２レンズ群による縮小側像点位置をＩＭ１２とし、第３レンズ群の焦点距離をｆ３とした場合に、｜ｆ／ＩＭ１２｜＜０．１２５の条件式および１．０＜ｆ３／ｆ＜３．５の条件式を満足することで、色合成光学系などを挿入しうる適度なバックフォーカスをとりつつ縮小側にテレセントリック性を有する良好な光学系を構成することができ、画面上の色むらを防止することができるとともに、系全体のコンパクト化を図ることができる。
【００６０】
さらに、第３レンズ群を、拡大側から順に、縮小側に凸面を向けた正レンズと、正レンズと負レンズの接合レンズとを配設して構成することにより、ワイドレンズ特有の倍率色収差を補正することができる。
【図面の簡単な説明】
【図１】  本発明の実施例１に係る投影レンズを示す断面図
【図２】  本発明の実施例２に係る投影レンズを示す断面図
【図３】  本発明の実施例１〜３に係る投影レンズの倍率０.０１３倍時の諸収差を示す収差図
【図４】  投影レンズを搭載したカラー液晶型プロジェクタの一例を示す図
【図５】 本発明の実施例３に係る投影レンズを示す断面図
【符号の説明】
Ｇ１〜Ｇ３          第１〜３レンズ群
Ｌ１〜Ｌ１４        レンズ
Ｄ１〜Ｄ２５        レンズの軸上面間隔および厚さ
Ｒ１〜Ｒ２４        レンズの曲率半径
Ｘ                光軸
１                フィルタブロック
１００            光源
３ａ、３ｂ        レンズアレイ
４                コンデンサレンズ
５，６            ダイクロイックミラー
１２、１４、１７，１８        全反射ミラー
７、８、９        液晶表示パネル
１０              ダイクロイックプリズム
１１              投影レンズ
１５、１６、１９、２０        フィールドレンズ
２１              リレーレンズ
【図１】
0004450296.tif 000006
【図２】
0004450296.tif 000007
【図３】
0004450296.tif 000008
【図４】
0004450296.tif 000009
【図５】
0004450296.tif 000010